【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
表面の汚染物質を検出および同定することが可能である、遠隔型の危険要素の検出および同定システムであって、
ａ．第１のユニットであって、該第１のユニットは、該第１のユニットから離れた距離にある表面に単色光のビームを放出し、該単色光のビームの結果として該表面からの散乱放射を捕捉する、第１のユニットと、
ｂ．第２のユニットであって、該散乱放射をスペクトルデータに変換する分光器と、該表面の汚染物質を検出するために該スペクトルデータを分析するプロセッサとを備えている、第２のユニットと、
ｃ．該第１のユニットから該第２のユニットに該散乱放射を結合するための、該第１のユニットと該第２のユニットとの間のリンクと
を備えている、システム。
【請求項２】
前記第１のユニットは、ポータブルのハンドヘルドデバイスであり、前記単色光のビームを生成する単色光源を備えている、請求項１に記載のシステム。
【請求項３】
前記単色光源は、紫外（ＵＶ）レーザである、請求項１に記載のシステム。
【請求項４】
前記第２のユニットは、前記単色光のビームを生成する単色光源を備え、前記リンクは、該ビームを前記第１のユニットに供給する光ファイバを備えている、請求項１に記載のシステム。
【請求項５】
前記第１のユニットは、収集オプティクスサブシステムを備え、該収集オプティクスサブシステムは、前記リンクを経由して前記第２のユニットに結合するために、前記表面から前記散乱放射を収集する、請求項１に記載のシステム。
【請求項６】
前記第１のユニットは、可視標的インジケータを備え、該可視標的インジケータは、複数のビームが前記表面上で前記収集オプティクスサブシステムの焦点において互いに交差するように、該収集オプティクスサブシステムを介して複数の可視光のビームを放出する、請求項５に記載のシステム。
【請求項７】
前記可視標的インジケータは、少なくとも２つのレーザダイオードを備え、該少なくとも２つのレーザダイオードは、前記第１のユニットの筐体に設置され、かつ、それらのビームが前記表面上で前記収集オプティクスサブシステムの焦点において互いに交差するように配置されている、請求項６に記載のシステム。
【請求項８】
前記単色光源は、紫外（ＵＶ）スペクトルで前記単色光のビームを生成することにより、前記表面の物質に該表面からラマン散乱放射を放出させる、請求項１に記載のシステム。
【請求項９】
前記プロセッサは、前記スペクトルデータを複数の既知の物質のスペクトルデータと比較し、該物質が既知の物質であるか、未知の物質であるかを決定する、請求項８に記載のシステム。
【請求項１０】
前記第１のユニットは、毎秒数１０センチメートルまでの走査速度で前記表面を走査するように、該表面を横切って動かされる、請求項８に記載のシステム。
【請求項１１】
前記単色光源は、直径が１ミリメートル未満の点を照明するために、前記単色光のビームを生成する、請求項１に記載のシステム。
【請求項１２】
前記第２のユニットは、さらに、画素化された検出器を備え、該画素化された検出器は、測定フレームを生成し、該測定フレームは、前記表面からの散乱放射の複数の反射の１つまたは蓄積を含む、請求項１に記載のシステム。
【請求項１３】
前記第２のユニットは、毎秒１０測定フレームを上回る速度でデータを生成する、請求項１２に記載のシステム。
【請求項１４】
前記プロセッサは、測定フレームに蓄積される散乱放射の複数の反射の数を調節することによって前記速度を調節する、請求項１２に記載のシステム。
【請求項１５】
前記プロセッサは、前記第２のユニットを制御することにより、動作の第１のモードおよび第２のモードのうちの１つで動作し、該第１のモードにおいては、前記画素化された検出器が、測定フレームに対する散乱放射の比較的少ない数の反射を蓄積することにより、前記表面のより速い走査のためのより速い速度と、より低い忠実度の分析とを提供し、そして、該第２のモードにおいては、該画素化された検出器が、測定フレームに対する散乱放射の比較的多くの数の反射を蓄積することにより、該表面のより遅い走査のためのより遅い速度とより高い忠実度の分析とを提供する、請求項１４に記載のシステム。
【請求項１６】
前記第１のユニットは、収集オプティクスサブシステムを備え、該収集オプティクスサブシステムは、前記リンクを経由して前記第２のユニットに結合するために、前記表面から前記散乱放射を収集し、該収集オプティクスサブシステムは、１つ以上の光学素子を備え、該１つ以上の光学素子は、該収集オプティクスサブシステムの焦点を調節するように動かすことができる、請求項１に記載のシステム。
【請求項１７】
調整された危険要素の検出および同定システムであって、
ａ．複数の危険要素の検出器であって、該複数の危険要素検出器は、表面に光のビームを放出することによって該表面の汚染物質を検出し、該光ビームの結果として該表面から散乱放射を捕捉し、該散乱光をスペクトルデータに変換し、そして、該スペクトルデータを分析することにより、危険物質または汚染物質に関する検出および同定データを生成することが可能である、複数の危険要素の検出器と、
ｂ．該複数の危険要素の検出器にワイヤレスで連結された中央制御局であって、該中央制御局は、関心のある領域における表面の検出掃引を調整するために、該複数の危険要素の検出器から検出および同定データを受信し、制御信号を該複数の危険要素の検出器に伝送する、中央制御局と
を備えている、システム。
【請求項１８】
前記複数の危険要素の検出器のぞれぞれは、遠隔型の危険要素の検出器であり、該遠隔型の危険要素の検出器のそれぞれが、第１のユニットから離れた距離にある前記表面に前記単色光のビームを放出し、該単色光のビームの結果として該表面からの散乱放射を捕捉する、第１のユニットと、該散乱放射をスペクトルデータに変換する分光器、および該表面の汚染物質を検出するために該スペクトルデータを分析するプロセッサを備えている第２のユニットと、該第１のユニットから該第２のユニットに該散乱放射を結合するための、該第１のユニットと該第２のユニットとの間のリンクとを備えている、請求項１７に記載のシステム。
【請求項１９】
ある距離から表面の汚染物質を検出および同定することが可能である遠隔型の危険要素の検出および同定システムであって、
ａ．第１のユニットであって、該第１のユニットは、該第１のユニットから離れた距離にある表面に光のビームを放出する単色光源と、該単色光のビームの結果として該表面からの散乱放射を捕捉する光学的サブシステムとを備えている、第１のユニットと、
ｂ．該散乱放射をスペクトルデータに変換する分光器と、該表面の汚染物質を検出するために該スペクトルデータを分析するプロセッサとを備えている、該第１のユニットに結合された第２のユニットであって、該第２のユニットは、処理のために該スペクトルデータを別のデバイスに伝送することが可能である送受信器を備えている、第２のユニットと、
ｃ．第３のユニットであって、該第３のユニットは、該第２のユニットから該スペクトルデータを受信する送受信器と、１つ以上のアルゴリズムを用いて該スペクトルデータを分析するプロセッサとを備え、該１つ以上のアルゴリズムは、該第２のユニットのプロセッサによって使用されるアルゴリズムよりもコンピュータ集約的である、第３のユニットと
を備えている、システム。
【請求項２０】
前記第３のユニットは、前記送受信器を経由して、該第３のユニットによって行われた分析の結果を前記第２のユニットに伝送する、請求項１９に記載のシステム。
【請求項２１】
前記第２のユニットは、ユーザインタフェースと、前記結果を表示するディスプレイとを備えている、請求項２０に記載のシステム。
【請求項２２】
前記第２のユニット内の前記送受信器と、前記第３のユニット内の送受信器とは、ワイヤレス送受信器デバイスである、請求項１９に記載のシステム。
【請求項２３】
第２のユニットは、再充電可能な電源を備え、前記第３のユニットは、該第２のユニットと情報を交換するために、かつ、該第２のユニットの該再充電可能な電源の充電可能なバッテリを充電するために電気エネルギーを供給するために、該第２のユニットに接続するドッキングポートを備えている、請求項１９に記載のシステム。
【請求項２４】
遠隔型の危険要素の検出システムであって、
ａ．表面に光のビームを放出することにより、該表面からのラマン散乱放射を励起する光源と、
ｂ．該ラマン散乱放射を収集する光学的サブシステムと、
ｃ．分光器であって、該分光器は、該光学的サブシステムによって収集された該ラマン散乱放射を受信し、該表面からのラマン散乱放射の複数の反射の蓄積に基づいてラマンスペクトルデータの測定フレームを生成する、分光器と、
ｄ．該表面の物質を区別するためにラマン分光技術を使用して、該ラマンスペクトルデータを分析するプロセッサであって、該プロセッサは、毎秒少なくとも１０測定フレームのサンプリング速度で該ラマンスペクトルデータを分析する、プロセッサと
を備えている、システム。
【請求項２５】
危険な物質の遠隔検出のための方法であって、
ａ．第１のハンドヘルドユニットにおいて、該第１のユニットからある距離を離れた表面に光ビームを導くことと、
ｂ．該第１のユニットにおいて、該表面の物質と該光ビームの相互作用の結果として、該表面から反射された散乱放射を捕捉することと、
ｃ．該反射された散乱放射を該第１のユニットとは別の第２のユニットに結合することと、
ｄ．該第２のユニット内の該反射された散乱放射からスペクトルデータを生成することと、
ｅ．該表面の汚染物質を検出するために該スペクトルデータを分析することと
を包含する、方法。
【請求項２６】
前記分析することは、前記第２のユニットにおいて行われる、請求項２５に記載の方法。
【請求項２７】
前記第２のユニットから遠くに配置されている第３のユニットに、該第２のユニットから前記スペクトルデータをワイヤレス伝送することをさらに包含し、前記分析することは該第３のユニットにおいて行なわれる、請求項２５に記載の方法。
【請求項２８】
前記（ｄ）生成することは、前記表面からの散乱放射の複数の反射の１つまたは蓄積物を備えているスペクトルデータの測定フレームを生成することを包含する、請求項２５に記載の方法。
【請求項２９】
第１のモードにおいて、前記（ｄ）生成することは、前記表面を横切ったより速い走査とより低い忠実度の分析とのための測定フレームに対する散乱放射の比較的少ない数の反射の蓄積から前記スペクトルデータを生成することを包含し、そして、第２のモードにおいて、該（ｄ）生成することは、該表面を横切ったより遅い走査とより高い忠実度の分析とのための測定フレームに対する散乱放射の比較的多くの数の反射の蓄積から該スペクトルデータを生成することを包含する、請求項２５に記載の方法。
【請求項３０】
人間が携帯可能な遠隔型の危険要素の検出装置であって、
ａ．ハンドヘルドユニットからある距離を離れている表面に光ビームを方向づけるハンドヘルドユニット、および該光ビームの結果として該表面から反射された散乱放射を捕捉する光学的サブシステムと、
ｂ．該反射された散乱放射からスペクトルデータを生成する分光器を備えている着用可能なユニットと、
ｃ．該着用可能なユニットに該ハンドヘルドユニットを接続するケーブルであって、該ケーブルは、１つ以上の光ファイバを備え、該１つ以上の光ファイバは、該ハンドヘルドユニット内の該光学的サブシステムによって収集された該反射された散乱放射を、該着用可能なユニット内の該分光器に搬送する、ケーブルと
を備えている、装置。
【請求項３１】
前記着用可能なユニットは、プロセッサを備え、該プロセッサは、前記表面の物質を同定するために分光技術を使用して前記スペクトルデータを分析する、請求項３０に記載の装置。
【請求項３２】
前記着用可能なユニット内にディスプレイデバイスをさらに備え、該ディスプレイデバイスは、前記プロセッサに接続されることにより、表面に存在していることを決定された物質に関する情報を表示する、請求項３１に記載の装置。